(57)【要約】【課題】  バーコードを表示するためのエリアを特別に設けることなく、バーコードを利用して容易かつ正確に曲名を選択する。【解決手段】  人間の眼で認識できる文字の位置に、その文字を表すステルスのバーコードが表示されたカラオケ本７から、操作に応じて選択された文字に対応するバーコードを読み取るステルスバーコードリーダ６を備えている。カラオケ装置本体１のＣＰＵは、ステルスバーコードリーダ６によって読み取られたバーコードに対応する文字に関連する曲名のリストをＴＶ受信装置３に表示し、その表示された曲名のリストの中から１つの曲名が本体１の操作パネル１ａのスイッチの操作で選択されたときは、その選択された曲の演奏を指示する。【選択図】      図１
2007193150.tif 000002
【特許請求の範囲】
【請求項１】
可視光で認識できる文字の位置に当該文字を表す不可視光のバーコードが表示されたカラオケ曲の情報媒体から操作に応じて選択された文字に対応するバーコードを読み取る読取手段と、
前記読取手段によって読み取られたバーコードに対応する文字に関連する曲名のリストを表示手段に表示する表示制御手段と、
前記表示手段に表示された曲名のリストの中から１つの曲名が選択されたときは当該選択された曲の演奏を指示する演奏指示手段と、
を備えたカラオケ装置。
【請求項２】
前記表示制御手段は、前記読取手段によって読み取られたバーコードに対応する歌手名のレパートリーに属する曲名のリストを前記表示手段に表示することを特徴とする請求項１に記載のカラオケ装置。
【請求項３】
前記表示制御手段は、前記読取手段によって読み取られたバーコードに対応するジャンル名に属する曲名のリストを前記表示手段に表示することを特徴とする請求項１に記載のカラオケ装置。
【請求項４】
前記表示制御手段は、前記読取手段によって読み取られたバーコードに対応する一部の文字を曲名又は歌詞に含む曲名のリストを前記表示手段に表示することを特徴とする請求項１に記載のカラオケ装置。
【請求項５】
可視光で認識できる文字の位置に当該文字を表す不可視光のバーコードが表示されたカラオケ曲の情報媒体から操作に応じて選択された文字に対応するバーコードが読取手段によって読み取られたときは、当該読み取られたバーコードを入力するステップＡと、
前記ステップＡによって入力されたバーコードに対応する文字に関連する曲名のリストを表示手段に表示するステップＢと、
前記表示手段に表示された曲名のリストの中から１つの曲名が選択されたときは当該選択された曲の演奏を指示するステップＣと、
をコンピュータに実行させるカラオケ情報処理のプログラム。
【請求項６】
前記ステップＢは、前記ステップＡによって入力されたバーコードに対応する歌手名のレパートリーに属する曲名のリストを前記表示手段に表示することを特徴とする請求項５に記載のカラオケ情報処理のプログラム。
【請求項７】
前記ステップＢは、前記ステップＡによって入力されたバーコードに対応するジャンル名に属する曲名のリストを前記表示手段に表示することを特徴とする請求項５に記載のカラオケ情報処理のプログラム。
【請求項８】
前記ステップＢは、前記ステップＡによって入力されたバーコードに対応する一部の文字を曲名又は歌詞に含む曲名のリストを前記表示手段に表示することを特徴とする請求項５に記載のカラオケ情報処理のプログラム。
【発明の詳細な説明】
【技術分野】
【０００１】
本発明は、カラオケ装置およびカラオケ情報処理のプログラムに関し、特に、ユーザが所望の曲名を容易に選択して歌唱するためのカラオケ装置およびカラオケ情報処理のプログラムに関するものである。
【背景技術】
【０００２】
カラオケ装置において、ユーザが歌いたい曲を選択する方法としては、曲リストの本を見て曲名に付与されている固有の番号をスイッチで入力するのが一般的である。しかし、薄暗いカラオケルームなどでスイッチ操作によって曲名の番号を入力することは煩雑である上、間違った番号を入力するおそれがある。一方、番号を入力する代わりに、バーコードを読み取って入力する方法が提案されている。この提案のバーコードリーダ付きマイクロホンにおいては、ワイヤレスタイプのマイクロホンの後端部に、バーコードを読み取るためのバーコードリーダを備えた構成になっている。この構成によれば、薄暗いカラオケルームなどでも容易かつ正確に曲名を選択することが可能である。（特許文献１参照）
【特許文献１】特開平６−２１４５８２号公報
【発明の開示】
【発明が解決しようとする課題】
【０００３】
しかしながら、上記特許文献１のように、曲リストの本の中の各曲名に対応するバーコードを付与することは、バーコードを表示するために特別のエリアを設ける必要がある。
本発明は、このような従来の課題を解決するためのものであり、バーコードを表示するためのエリアを特別に設けることなく、バーコードを利用して容易かつ正確に曲名を選択できるようにすることを目的とする。
【課題を解決するための手段】
【０００４】
請求項１に記載のカラオケ装置は、可視光で認識できる文字の位置に当該文字を表す不可視光のバーコード（実施形態においては、図４のステルスのバーコードに相当する）が表示されたカラオケ曲の情報媒体（実施形態においては、図１のカラオケ本７に相当する）から操作に応じて選択された文字に対応するバーコードを読み取る読取手段（実施形態においては、図１のステルスバーコードリーダ６に相当する）と、読取手段によって読み取られたバーコードに対応する文字に関連する曲名のリストを表示手段（実施形態においては、図１のＴＶ受信装置３又は図２のリモコン装置２の表示部２ｈに相当する）に表示する表示制御手段（実施形態においては、図５のＣＰＵ１１およびビデオ信号出力部１５に相当する）と、表示手段に表示された曲名のリストの中から１つの曲名が選択されたときは当該選択された曲の演奏を指示する演奏指示手段（実施形態においては、図５のＣＰＵ１１に相当する）と、を備えた構成になっている。
【０００５】
請求項１のカラオケ装置において、請求項２に記載したように、表示制御手段は、読取手段によって読み取られたバーコードに対応する歌手名のレパートリーに属する曲名のリストを表示手段に表示するような構成にしてもよい。
あるいは、請求項１のカラオケ装置において、請求項３に記載したように、表示制御手段は、読取手段によって読み取られたバーコードに対応するジャンル名に属する曲名のリストを表示手段に表示するような構成にしてもよい。
あるいは、請求項１のカラオケ装置において、請求項４に記載したように、表示制御手段は、読取手段によって読み取られたバーコードに対応する一部の文字を曲名又は歌詞に含む曲名のリストを表示手段に表示するような構成にしてもよい。
【０００６】
請求項５に記載のカラオケ情報処理のプログラムは、可視光で認識できる文字の位置に当該文字を表す不可視光のバーコード（実施形態においては、図４のステルスのバーコードに相当する）が表示されたカラオケ曲の情報媒体（実施形態においては、図１のカラオケ本７に相当する）から操作に応じて選択された文字に対応するバーコードが読取手段（実施形態においては、図１のステルスバーコードリーダ６に相当する）によって読み取られたときは、当該読み取られたバーコードを入力するステップＡと、ステップＡによって入力されたバーコードに対応する文字に関連する曲名のリストを表示手段（実施形態においては、図１のＴＶ受信装置３に相当する）に表示するステップＢと、表示手段に表示された曲名のリストの中から１つの曲名が選択されたときは当該選択された曲の演奏を指示するステップＣと、をコンピュータ（実施形態においては、図５のＣＰＵ１１に相当する）に実行させる構成になっている。
【０００７】
請求項５のカラオケ情報処理のプログラムにおいて、請求項６に記載したように、ステップＢは、ステップＡによって入力されたバーコードに対応する歌手名のレパートリーに属する曲名のリストを表示手段に表示するような構成にしてもよい。
あるいは、請求項５のカラオケ情報処理のプログラムにおいて、請求項７に記載したように、ステップＢは、ステップＡによって入力されたバーコードに対応するジャンル名に属する曲名のリストを表示手段に表示するような構成にしてもよい。
あるいは、請求項５のカラオケ情報処理のプログラムにおいて、請求項８に記載したように、ステップＢは、ステップＡによって入力されたバーコードに対応する一部の文字を曲名又は歌詞に含む曲名のリストを表示手段に表示するような構成にしてもよい。
【発明の効果】
【０００８】
本発明のカラオケ装置およびカラオケ情報処理のプログラムによれば、バーコードを表示するためのエリアを特別に設けることなく、バーコードを利用して容易かつ正確に曲名を選択できるという効果が得られる。
【発明を実施するための最良の形態】
【０００９】
以下、本発明の実施形態について、図を参照して詳細に説明する。
図１は、本発明のカラオケ装置およびカラオケ情報処理のプログラムを適用した実施形態のシステム構成の外観図である。図１に示すように、このシステムは、カラオケ装置本体１（以下、「本体１」という）、リモコン装置２、ＴＶ（テレビ）受信装置３、スピーカ４、マイク５、ステルスバーコードリーダ６で構成されている。さらに、カラオケ曲の曲名、歌手名、およびジャンル名が記載されたカラオケ本７がこのシステムで利用される。本体１の前面には操作パネル１ａおよびデータ入力端子１ｂが設けられ、後面にはＴＶビデオ端子およびＴＶ音声端子（図示せず）が設けられている。これに対応して、ＴＶ受信装置３にもＴＶビデオ端子３ａおよびＴＶ音声端子３ｂが設けられ、それぞれビデオケーブル８およびオーディオケーブル９によって本体１に接続されている。本体１のデータ入力端子１ｂはケーブル１０によってステルスバーコードリーダ６に接続され、ステルスバーコードリーダ６によって読み取られたバーコードが本体１に入力される。マイク５は、入力される歌声に応じた音声信号を赤外線通信又は他の無線通信によって本体１に送信する。また、マイク５におけるマイク部と反対側の端部には、ステルスバーコードリーダ６と同じように、カラオケ本７のバーコードを読み取るためのステルスバーコードリーダ５ａが設けられている。リモコン装置２は、操作に応じた制御信号を赤外線通信又は他の無線通信によって本体１に送信する。
【００１０】
図２は、リモコン装置２の外観図である。図２に示すように、リモコン装置２には、歌手名スイッチ２ａ、曲名スイッチ２ｂ、文字、数字、記号を入力する文字入力スイッチ２ｃ、カーソルスイッチ２ｄ、決定スイッチ２ｅ、演奏スイッチ（スタートスイッチおよび一時停止スイッチ）２ｆ、演奏中止スイッチ２ｇなどが設けられている。これらのスイッチ群は、本体１の操作パネル１ａに設けられているスイッチ群と同じものである。また、リモコン装置２には表示部２ｈが設けられている。この表示部２ｈはＬＣＤ（液晶表示）で構成され、ＴＶ受信装置３に表示されるカラオケに関する情報と同じ内容を表示することができる。また、リモコン装置２の下端面には、ステルスバーコードリーダ６と接続するためのデータ入力端子２ｉが設けられ、図１に示したケーブル１０をデータ入力端子２ｉに接続できる構成になっている。したがって、ユーザは、リモコン装置２に接続したステルスバーコードリーダ６でカラオケ本７のバーコードを読み取って、表示部２ｈに表示された曲名のリスト（これについては、後で詳述する）の中から、カーソルスイッチ２ｄと決定スイッチ２ｅによって選択し、演奏スイッチ２ｆによって選択した曲の演奏を本体１に指示することができる。
【００１１】
図３は、カラオケ本７に印刷されたカラオケデータの構成を示す図である。カラオケ本７のデータは、曲名のデータ、歌手名のデータ、およびジャンル名のデータに分類されており、各分類によってページが分かれている。曲名のデータは、曲名、バーコード、曲番号、歌い出し歌詞などで構成されている。歌手名のデータは、歌手名、バーコード、およびその歌手のレパートリーに属する曲名リストで構成されている。ジャンル名のデータは、ジャンル名、バーコード、およびそのジャンルに属する曲名リストで構成されている。したがって、曲名、歌手名、およびジャンル名の文字、バーコード、および番号は一意に対応したデータを構成している。
【００１２】
図４は、カラオケ本７に印刷された内容の一部を示す図である。図４（Ａ）は曲名のページ、図４（Ｂ）は歌手名のページ、図４（Ｃ）はジャンル名のページを示している。図４において、文字は人間の眼に見えるように普通に印刷されたものであるが、点線で示すバーコードは人間の眼には見えず、赤外線だけを反射する材料で印刷されたステルスのバーコードであり、ステルスバーコードリーダ６によって読み取ることができる。なお、図４においては、点線のバーコードの形状は概略的に記載されているが、実際は、文字は人間の眼に見えるバーコードと同じように、様々な線幅の形状で構成されている。
【００１３】
図５は、図１の本体１の内部構成を示すブロック図である。図５において、ＣＰＵ１１は、システムバス１２を介して、プログラムメモリ１３、ワークメモリ１４、ビデオ信号出力部１５、ステルスバーコードリーダ６、スイッチ回路１６、曲データメモリ１７、音源回路１８、ミキサアンプ１９に接続されている。ＣＰＵ１１は、システムバス１２を介して接続された上記各部との間でデータやコマンドを授受して本体１全体を制御する。プログラムメモリ１３は、ＣＰＵ１１によって実行されるカラオケ情報処理のプログラム、および、起動時の初期データなどを予め格納している。ワークメモリ１４は、ＣＰＵ１１によって処理されるデータを一時的に記憶するための各種のレジスタを有する。スイッチ回路１６は、スイッチおよび検出回路で構成され、図２に示したリモコン装置２のスイッチ群と同じ構成になっている。スイッチ回路１６は、各スイッチの操作に応じてスイッチ検出信号をＣＰＵ１１に入力する。曲データメモリ１７は、カラオケ曲の伴奏曲データ、歌詞データ、および背景データを予め記憶している。音源回路１８は、楽音信号の元となる波形データを記憶した波形ＲＯＭ、Ｄ／Ａ変換回路、フィルタ回路など（いずれも図示せず）を有し、ユーザの演奏指示に応じて、ＣＰＵ１１によって曲データメモリ１７から読み出された伴奏曲データに基づいて、楽音信号を生成してミキサアンプ１８に送付する。ミキサアンプ１９は、赤外線通信又は他の無線通信によってマイク５から入力された音声信号と、音源回路１８から入力された伴奏曲の楽音信号とを合成し、オーディオケーブル９を介してＴＶ受信装置３に送信する。ビデオ信号出力部１５は、ユーザの演奏指示に応じて、ＣＰＵ１１によって曲データメモリ１７から読み出された歌詞データおよび背景データをビットマップのフレーム画像信号に変換し、ビデオケーブル８を介してＴＶ受信装置３に送信する。
【００１４】
なお、リモコン装置２の内部構成については図で示さないが、図５のＣＰＵ１１、システムバス１２、プログラムメモリ１３、ワークメモリ１４、およびスイッチ回路１６、および接続されたステルスバーコードリーダ６を含む構成については本体１と同様の内部構成になっている。さらに、赤外線通信又は他の無線通信によって、図２に示した各スイッチのオン・オフ信号を本体１に送信する送信部が設けられている。したがって、以下に説明する本体１のカラオケ情報処理の動作は、リモコン装置２によっても同じように実行することができるが、本体１の動作説明にほとんど共通するので重複する説明は省略する。
【００１５】
次に、図１のシステムの動作について、ＣＰＵ１１によって実行されるカラオケ情報処理のプログラムを示す図６ないし図８のフローチャートに基づいて説明する。なお、このカラオケ情報処理においては、カラオケ本７の曲名又は歌手名を選択する場合について説明する。ジャンル名を選択する動作は、歌手名を選択する動作と同じであるので、図面および説明は省略する。
【００１６】
図６において、所定のイニシャライズ（ステップＳ１）を行った後、ステルスバーコードリーダ６をＯＮにする（ステップＳ２）。そして、ユーザの操作によって図４に示したバーコードの読み取りがされたか否かを判別する（ステップＳ３）。バーコードの読み取りがされたときは、そのバーコードが曲名か否かを判別し、曲名の場合には、曲データメモリ１７から対応する曲データを検索し（ステップＳ５）、その曲名をＴＶ受信装置３に表示するようにビデオ信号出力部１５に指示する（ステップＳ６）。
【００１７】
次に、ユーザによってスタートスイッチがＯＮされたか否かを判別し（ステップＳ７）、スタートスイッチがＯＮされたときは、ビデオ信号出力部１５に対して、背景画面を表示するように指示し（ステップＳ８）、歌詞データを表示するように指示する（ステップＳ９）。そして、タイマをスタートする（ステップＳ１０）。この後は、図７のフローチャートにおいて、曲データを読出し（ステップＳ１１）、読出しが終了したか否かを判別する（ステップＳ１２）。読出しが終了したとき、すなわち、曲が終了したときは、音源回路１８に対して発音の停止を指示し、タイマを停止する（ステップＳ１３）。また、ビデオ信号出力部１５に対してＴＶ受信装置３の表示をクリアするように指示する（ステップＳ１４）。ステップＳ１２において、読出しが終了していない場合には、演奏中止スイッチがＯＮされたか否かを判別し（ステップＳ１５）、演奏中止スイッチがＯＮされたときは、音源回路１８に対して発音の停止を指示し、タイマを停止する（ステップＳ１３）。また、ビデオ信号出力部１５に対してＴＶ受信装置３の表示をクリアするように指示する（ステップＳ１４）。ステップＳ１４において、表示をクリアする指示を行った後は、図６のステップＳ３に移行して、新たなバーコードの読み取りがされたか否かを判別する。
【００１８】
図７のステップＳ１５において、中止スイッチがＯＮされない場合には、歌詞表示の切換タイミングになったか否かを判別し（ステップＳ１６）、切換タイミングになったときは、次の歌詞データに切換表示するようにビデオ信号出力部１５に指示する（ステップＳ１７）。ステップＳ１６において、歌詞表示の切換タイミングになっていない場合には、表示されている歌詞において歌うべき歌詞部分の色換タイミングになったか否かを判別する（ステップＳ１８）。色換タイミングになったときは、対応する歌詞を色換表示するようにビデオ信号出力部１５に指示する（ステップＳ１９）。さらに、読み出された伴奏曲の曲データを音源回路１９へ送付する（ステップＳ２０）。この後は、ステップＳ１１に移行して、曲データの読出しを繰り返す。
【００１９】
図６のステップＳ６において、ステルスバーコードリーダ６によって読み出されたバーコードが曲名でない場合には、図８のフローチャートにおいて、曲データメモリ１７より、対応する歌手名の曲データを検索する（ステップＳ２１）。そして、検索された曲データの曲名のリストをＴＶ受信装置３に表示するようにビデオ信号出力部１５に対して指示する（ステップＳ２２）。さらに、いずれかの曲名を表示色変更などで強調表示するようにビデオ信号出力部１５に対して指示する（ステップＳ２３）。例えば、リストの最初の曲名を強調表示するように指示する。
【００２０】
次に、カーソルスイッチがＯＮされたか否かを判別し（ステップＳ２４）、カーソルスイッチがＯＮされたときは、強調表示される曲名を変更するようにビデオ信号出力部１５に対して指示する（ステップＳ２５）。強調表示される曲名を変更した後、又は、ステップＳ２４においてカーソルスイッチがＯＮでない場合には、決定スイッチがＯＮされたか否かを判別し（ステップＳ２６）、決定スイッチがＯＮでない場合には、ステップＳ２４に移行して、カーソルスイッチがＯＮされたか否かを判別する。ステップＳ２６において、決定スイッチがＯＮされたときは、図６のステップＳ６に移行して、決定スイッチによって選択された強調表示されている曲名を表示するようにビデオ信号出力部１５に対して指示する。
【００２１】
以上のように、この実施形態によれば、人間の眼で認識できる文字の位置に、その文字を表すステルスのバーコードが表示されたカラオケ本７から、操作に応じて選択された文字に対応するバーコードを読み取るステルスバーコードリーダ６を備えている。ＣＰＵ１１は、ステルスバーコードリーダ６によって読み取られたバーコードに対応する文字に関連する曲名のリストをＴＶ受信装置３に表示し、その表示された曲名のリストの中から１つの曲名がスイッチの操作で選択されたときは、その選択された曲の演奏を指示する。この場合において、ステルスバーコードリーダ６によって読み取られたバーコードが歌手名である場合には、その歌手名のレパートリーに属する曲名のリストを表示する。
したがって、歌手名のレパートリーに属する曲名ではあるが、ユーザがその曲名を忘れている場合でも、歌手名のレパートリーに属する曲名のリストの表示によって、目的の曲名を選択することができるので、バーコードを表示するためのエリアを特別に設けることなく、バーコードを利用して容易かつ正確に曲名を選択できる。
【００２２】
ＣＰＵ１１は、ステルスバーコードリーダ６によって読み取られたバーコードがジャンル名である場合には、そのジャンル名に属する曲名のリストを表示する。
したがって、ユーザが曲名や歌手名によって歌唱する曲を選択することができない場合でも、自分の得意なジャンルを選択して、所望の曲名を選択することができるので、バーコードを表示するためのエリアを特別に設けることなく、バーコードを利用して容易かつ正確に曲名を選択できる。
【００２３】
次に、実施形態の変形例について説明する。ユーザが以前に聴いた曲であるが、正確な曲名、歌手名、およびジャンル名が分からず、曲名の一部や歌い出しの歌詞の一部だけを覚えている場合がある。このような場合に、各文字に対応したバーコードが印刷されている場合には、カラオケ本７の任意の曲名の中から、その覚えている一部を拾い出してステルスバーコードリーダ６によって読み取ることは可能である。例えば、「ＲＩＶＥＲ」、「ＰＡＳＳＩＯＮＡＴＥ」、「港町」、「地図」などを覚えている場合でも、ステルスバーコードリーダ６によって任意の曲名や歌い出しの歌詞の中から、その一部の文字に対応するバーコードを読み取って、その一部の文字を曲名又は歌詞に含む曲名のリストをＴＶ受信装置３に表示することによって、所望の曲名を選択することができるので、バーコードを表示するためのエリアを特別に設けることなく、バーコードを利用して容易かつ正確に曲名を選択できる。
【００２４】
なお、上記実施形態においては、プログラムメモリ１３に予め格納されているカラオケ情報処理のプログラムをＣＰＵ１１が実行する装置の発明について説明したが、フレキシブルディスク（ＦＤ）、ＣＤ、メモリカードなどの外部記憶媒体に記憶されたカラオケ情報処理のプログラム、又は、インターネットなどのネットワークからダウンロードしたカラオケ情報処理のプログラムをワークメモリ１４あるいは別途設けたフラッシュＲＯＭやハードディスクなどの不揮発性メモリにインストールして、ＣＰＵ１１がそのプログラムを実行する構成も可能である。この場合には、プログラムの発明および記憶媒体の発明を実現できる。
【００２５】
すなわち、本発明のカラオケ情報処理のプログラムは、
可視光で認識できる文字の位置に当該文字を表す不可視光のバーコードが表示されたカラオケ曲の情報媒体から操作に応じて選択された文字に対応するバーコードが読取手段によって読み取られたときは、当該読み取られたバーコードを入力するステップＡと、前記ステップＡによって入力されたバーコードに対応する文字に関連する曲名のリストを表示手段に表示するステップＢと、前記表示手段に表示された曲名のリストの中から１つの曲名が選択されたときは当該選択された曲の演奏を指示するステップＣと、をコンピュータに実行させる。
【００２６】
前記ステップＢは、前記ステップＡによって入力されたバーコードに対応する歌手名のレパートリーに属する曲名のリストを前記表示手段に表示する。
前記ステップＢは、前記ステップＡによって入力されたバーコードに対応するジャンル名に属する曲名のリストを前記表示手段に表示する。
前記ステップＢは、前記ステップＡによって入力されたバーコードに対応する一部の文字を曲名又は歌詞に含む曲名のリストを前記表示手段に表示する。
【図面の簡単な説明】
【００２７】
【図１】本発明のカラオケ装置およびカラオケ情報処理のプログラムを適用した実施形態のシステム構成を示す外観図。
【図２】図１のリモコン装置の外観図。
【図３】図１のカラオケ本におけるカラオケデータのフォーマットを示す図。
【図４】図１のカラオケ本における曲名、歌手名、ジャンル名を示す文字とその文字に対応するステルスのバーコードを示す図。
【図５】図１におけるカラオケ装置本体の内部構成を示すブロック図。
【図６】図５におけるＣＰＵによって実行されるカラオケ情報処理のフローチャート。
【図７】図６に続くカラオケ情報処理のフローチャート。
【図８】図６に続くカラオケ情報処理のフローチャート。
【符号の説明】
【００２８】
１  カラオケ装置本体
２  リモコン装置
３  ＴＶ受信装置
５  マイク
６  ステルスバーコードリーダ
７  カラオケ本
１１  ＣＰＵ
１３  プログラムメモリ
１４  ワークメモリ
１５  ビデオ信号出力部
１６  スイッチ回路
１７  曲データメモリ
１８  音源回路
１９  ミキサアンプ
【図１】
2007193150.tif 000003
【図２】
2007193150.tif 000004
【図３】
2007193150.tif 000005
【図４】
2007193150.tif 000006
【図５】
2007193150.tif 000007
【図６】
2007193150.tif 000008
【図７】
2007193150.tif 000009
【図８】
2007193150.tif 000010